(57)【要約】【課題】レフレクタの切り欠き部を覆う通風板の構成、放電ランプへの取り付け方法を具体化するとともに、安価で製作が容易な通風板を用いたレフレクタ付き放電ランプを提供すること。【解決手段】この発明に係るレフレクタ付き放電ランプは、発光管がレフレクタで囲まれ、前記レフレクタで反射した光がレフレクタの前面開口部に設けられた前面ガラスから放射するレフレクタ付き放電ランプにおいて、レフレクタの開口部近傍に設けられ、レフレクタ内に冷却風を通風するための切り欠き部と、切り欠き部を覆うように設けられ、一枚の板を材料とし、発光管の破片が通過不能な通風孔と、前面ガラス又はレフレクタに係合する係合部とを有する通風板と、を備えたことを特徴とする。【選択図】        図１
2004361523.tif 000002
【特許請求の範囲】
【請求項１】
発光管がレフレクタで囲まれ、前記レフレクタで反射した光が該レフレクタの前面開口部に設けられた前面ガラスから放射するレフレクタ付き放電ランプにおいて、
前記レフレクタの開口部近傍に設けられ、前記レフレクタ内に冷却風を通風するための切り欠き部と、
前記切り欠き部を覆うように設けられ、一枚の板を材料とし、前記発光管の破片が通過不能な通風孔と、前記前面ガラス又は前記レフレクタに係合する係合部とを有する通風板と、
を備えたことを特徴とするレフレクタ付き放電ランプ。
【請求項２】
発光管がレフレクタで囲まれ、前記レフレクタで反射した光が該レフレクタの前面開口部に設けられた前面ガラスから放射するレフレクタ付き放電ランプにおいて、
前記レフレクタの開口部近傍に設けられ、前記レフレクタ内に冷却風を通風するための切り欠き部と、
前記切り欠き部を覆うように前記レフレクタに鉢巻き状に設けられ、一枚の板を材料とし、前記発光管の破片が通過不能な通風孔と、前記前面ガラスに係合する係合部とを有する帯状の通風板と、
を備えたことを特徴とするレフレクタ付き放電ランプ。
【請求項３】
前記前面ガラスに係合する前記通風板の係合部は、切り起こし片と、折り曲げ部とで略コの字形状に形成され、前記前面ガラスを前記切り起こし片及び折り曲げ部で挟み込むことを特徴とする請求項１又は請求項２に記載のレフレクタ付き放電ランプ。
【請求項４】
前記レフレクタに係合する前記通風板の係合部は、Ｌ字形状の切り起こし片を有し、前記レフレクタを前記切り起こし片及び前記通風板で挟み込むことを特徴とする請求項１に記載のレフレクタ付き放電ランプ。
【請求項５】
前記通風板を前記前面ガラス又は前記レフレクタに、数箇所接着剤で固定したことを特徴とする請求項３又は請求項４に記載のレフレクタ付き放電ランプ。
【請求項６】
前記通風板は、反前面ガラス側が凸の円弧形状としたことを特徴とする請求項１に記載のレフレクタ付き放電ランプ。
【請求項７】
前記通風板の通風孔の形状を、円又は楕円としたことを特徴とする請求項１又は請求項２に記載のレフレクタ付き放電ランプ。
【請求項８】
前記通風板の通風孔の大きさは、面積が０．５〜８ｍｍ２としたことを特徴とする請求項１又は請求項２に記載のレフレクタ付き放電ランプ。
【請求項９】
前記通風孔を、前記発光管に向くように、又は前面ガラスを向くように形成したことを特徴とする請求項１又は請求項２に記載のレフレクタ付き放電ランプ。
【請求項１０】
前記レフレクタの前記発光管近傍に、小孔を設けたことを特徴とする請求項１又は請求項２に記載のレフレクタ付き放電ランプ。
【請求項１１】
前記通風板に網目部材を用いたことを特徴とする請求項２に記載のレフレクタ付き放電ランプ。
【発明の詳細な説明】
【０００１】
【発明の属する技術分野】
この発明は、レフレクタ付き放電ランプに関するものである。
【０００２】
【従来の技術】
ＯＨＰ（オーバーヘッドプロジェクタ）や液晶プロジェクタ等の投映機器においては、光源ランプとして高圧水銀ランプが使用されることが多い。この高圧水銀ランプは、点灯時には発光管内の圧力が２００気圧程度の高圧になり、通常使用のランプ寿命末期において、発光管が劣化してランプが破裂する危険性がある。このため、ランプの破裂対策として、凹面反射鏡の前面開口をガラス板で覆って凹面反射鏡内部を閉空間にし、この閉空間内にランプを配置する（例えば、特許文献１参照）。
【０００３】
しかし、ランプの高出力化が進んでいるため、凹面反射鏡内にランプ冷却用の冷却風を通風させる必要が生じ、凹面反射鏡の開口部端部を切り落として切り欠き部を形成し通気用として使用することがある。
【０００４】
図１１、１２は、例えば特許文献２に記載された従来の光照射ユニットの断面図と正面図である。図に示すように、光照射ユニットの光源ランプである放電ランプ１０１は、メタルハライドランプや高圧水銀ランプであり、発光管は石英ガラスや透光性セラミックスで成形されている。放電ランプ１０１の一方の封止部１１１にランプベース１１２が取り付けられている。凹面反射鏡１０２は、硼珪酸ガラスにて成形され、その頚部に中心孔１２１が形成されている。放電ランプ１０１のランプベース１１２が通気孔付の口金スリーブ１１３を通して凹面反射鏡１０２の中心孔１２１に挿通され、接着剤１１４により放電ランプ１０１は凹面反射鏡１０２に固定されている。
【０００５】
凹面反射鏡１０２は、開口部端部が四方から切り落とされ、切欠き部１２２が４個形成されている。凹面反射鏡１０２の前面開口にガラス板１０４が取り付けられた前面ガラス取付部材１４１が固定され、凹面反射鏡１０２の前面開口は、透光性材料からなる前面板であるガラス板１０４で覆われている。また、前面ガラス取付部材１４１には、ランプの破片が通過不能な通気板として、４枚の網目部材１０５が取り付けられており、網目部材１０５が凹面反射鏡１０２の切欠き部１２２を覆っている。網目部材１０５は十分な通気性を有するが、放電ランプが万一破裂しても、放電ランプの破片は通過できないようになっている。
【０００６】
【特許文献１】
特開平８−７８４１号公報
【特許文献２】
特開平１０−２２３０２３号公報
【０００７】
【発明が解決しようとする課題】
従来の光照射ユニットは以上のように構成され、凹面反射鏡１０２の切欠き部１２２を覆う網目部材１０５を用いるが、この網目部材１０５の構成、網目部材１０５の光照射ユニットへの取り付け方法等については言及がない。
【０００８】
この発明は上記のような問題点を解決するためになされたもので、レフレクタの切り欠き部を覆う通風板の構成、放電ランプへの取り付け方法を具体化するとともに、安価で製作が容易な通風板を用いたレフレクタ付き放電ランプを提供することを目的とする。
【０００９】
【課題を解決するための手段】
この発明に係るレフレクタ付き放電ランプは、発光管がレフレクタで囲まれ、前記レフレクタで反射した光がレフレクタの前面開口部に設けられた前面ガラスから放射するレフレクタ付き放電ランプにおいて、レフレクタの開口部近傍に設けられ、レフレクタ内に冷却風を通風するための切り欠き部と、切り欠き部を覆うように設けられ、一枚の板を材料とし、発光管の破片が通過不能な通風孔と、前面ガラス又はレフレクタに係合する係合部とを有する通風板と、を備えたことを特徴とする。
【００１０】
また、この発明に係るレフレクタ付き放電ランプは、発光管がレフレクタで囲まれ、前記レフレクタで反射した光がレフレクタの前面開口部に設けられた前面ガラスから放射するレフレクタ付き放電ランプにおいて、レフレクタの開口部近傍に設けられ、レフレクタ内に冷却風を通風するための切り欠き部と、切り欠き部を覆うようにレフレクタに鉢巻き状に設けられ、一枚の板を材料とし、発光管の破片が通過不能な通風孔と、前面ガラスに係合する係合部とを有する帯状の通風板と、を備えたことを特徴とする。
【００１１】
また、この発明に係るレフレクタ付き放電ランプは、前面ガラスに係合する通風板の係合部は、切り起こし片と、折り曲げ部とで略コの字形状に形成され、前面ガラスを切り起こし片及び折り曲げ部で挟み込むことを特徴とする。
【００１２】
また、この発明に係るレフレクタ付き放電ランプは、レフレクタに係合する通風板の係合部は、Ｌ字形状の切り起こし片を有し、レフレクタを切り起こし片及び通風板で挟み込むことを特徴とする。
【００１３】
また、この発明に係るレフレクタ付き放電ランプは、通風板を前面ガラス又はレフレクタに、数箇所接着剤で固定したことを特徴とする。
【００１４】
また、この発明に係るレフレクタ付き放電ランプは、通風板は、反前面ガラス側が凸の円弧形状としたことを特徴とする。
【００１５】
また、この発明に係るレフレクタ付き放電ランプは、通風板の通風孔の形状を、円又は楕円としたことを特徴とする。
【００１６】
また、この発明に係るレフレクタ付き放電ランプは、通風板の通風孔の大きさは、面積が０．５〜８ｍｍ２としたことを特徴とする。
【００１７】
また、この発明に係るレフレクタ付き放電ランプは、通風孔を、発光管に向くように、又は前面ガラスを向くように形成したことを特徴とする。
【００１８】
また、この発明に係るレフレクタ付き放電ランプは、レフレクタの発光管近傍に、小孔を設けたことを特徴とする。
【００１９】
また、この発明に係るレフレクタ付き放電ランプは、通風板に網目部材を用いたことを特徴とする。
【００２０】
【発明の実施の形態】
実施の形態１．
以下、この発明の実施の形態１を図面に基づいて説明する。
図１〜４は実施の形態１を示す図で、図１はレフレクタ付き放電ランプの一部を破断した側面図、図２は同正面図、図３は通風板を取り付ける前のレフレクタ付き放電ランプの一部を破断した側面図、図４は通風板の構成を示す図である。
【００２１】
図において、レフレクタ付き放電ランプの光源ランプである発光管１には、高圧水銀ランプが使用される。この発光管１をレフレクタ１１で取り囲む。レフレクタ１１は、チタニア、シリカコート等を有するガラスを材料とし、球面、楕円面、放物面等の碗状の光の反射面を有し、反射面の端に開口部が形成されている。このレフレクタ１１の開口部に、透光性の硬質ガラスからなる前面ガラス１４が接着等により固定されておいる。
【００２２】
発光管１に使用される高圧水銀ランプは、既に述べたように、点灯時には、内部の圧力が高圧になり、通常使用のランプ寿命末期において発光管が劣化してランプが破裂する危険性を有する。そのため、前述の前面ガラス１４でレフレクタ１１の開口部を覆って、レフレクタ１１内を閉空間にして、ランプが破裂した場合に高温の破片が散乱するのを防止しているが、近年、投写型表示装置のスクリーン照度を向上させる要望が大きく、ランプの高出力化が進められており、レフレクタ１１内にランプ冷却用の冷却風を通風させる必要がある。
【００２３】
そのために、図３に示すように、レフレクタ１１の開口部近傍に通風のための切り欠き部５を設ける。例えば、周方向に４箇所設けるが、むろんそれに限定されるものではない。
【００２４】
レフレクタ１１の開口部近傍に設けた切り欠き部５により、ランプは冷却されるが、万一ランプが破裂した場合に高温の破片が切り欠き部５から散乱するのを防止する必要がある。
【００２５】
そのため、図に示すように、ランプの破片が通過不能な通風孔２０ａを有する通風板２０を、切り欠き部５を覆うように設ける。通風板２０は、一枚の板を材料とし、例えば面積が０．５〜８ｍｍ２の大きさの多数の通風孔２０ａを有するとともに、前面ガラス１４に係合させるための係合部を有する。通風板２０は、反前面ガラス１４側が凸の円弧形状である。係合部は、切り起こし片２０ｂと、折り曲げ部２０ｃとで構成され、略コの字形状の係合部を形成している。通風孔２０ａの形状は円又は楕円とするが、それ以外のどのような形状でもよい。また、通風板２０は、円弧形状のものを示したが、それに限定されない。
【００２６】
通風板２０は、切り起こし片２０ｂと、折り曲げ部２０ｃとで構成された略コの字形状の係合部を前面ガラス１４の端部に弾性を利用して係合させて固定する。
尚、それに加えて、数箇所接着剤で固定すれば、より確実に固定される。
【００２７】
通風板２０の材質は、発光管１先端の温度が約３００℃になるので、１００℃以上の耐熱性を有するものであればよく、金属板、耐熱樹脂板等を使用する。
【００２８】
以上のように、一枚の板にランプの破片が通過不能な、例えば面積が０．５〜８ｍｍ２の大きさの多数の通風孔２０ａを有し、前面ガラス１４に係合する、切り起こし片２０ｂと、折り曲げ部２０ｃとで構成された略コの字形状の係合部を有する通風板２０により、レフレクタ１１の開口部近傍に設けた通風のための切り欠き部５を覆う構成としたので、万一ランプが破裂した場合に高温の破片が切り欠き部５から散乱するのを防止するとともに、通風板２０は一部品で構成されるので安価であり、略コの字形状の係合部により容易に前面ガラス１４に固定することができる。
【００２９】
実施の形態２．
図５、６は実施の形態２を示す図で、通風板の断面図である。
上記実施の形態１の通風板２０の通風孔２０ａは、発光管１の光軸に直交する方向に設けられているものを示したが、通風孔２０ａに角度を付けることにより、発光管１の冷却をより効率よく行うことができる。
【００３０】
図５では、通風孔２０ａは、発光管１に向くように形成されている。これにより、発光管１は冷却風が直接当たるため効率よく冷却される。
【００３１】
図６では、通風孔２０ａは、前面ガラス１４を向くように形成されている。通風孔２０ａを通過した冷却風は、先ず前面ガラス１４に当たり、ここで向きを変え発光管１方向へ流れる。これにより、発光管１は効率よく冷却される。
【００３２】
上述の実施の形態では、通風孔２０ａに角度を付け、発光管１に向くように、又は前面ガラス１４を向くように形成することにより、発光管１の冷却をより効率よく行うことができる。
【００３３】
実施の形態３．
図７は実施の形態３を示す図で、レフレクタ付き放電ランプの一部を破断した側面図である。
上記実施の形態１の構成に加えて、レフレクタ１１の発光管１近傍に冷却風を通す小孔３０を設けている。小孔３０は、例えば周方向４箇所に設ける。但し、それに限定されない。何個設けてもよい。
【００３４】
レフレクタ１１の開口部近傍に設けられた通風孔２０ａには、図示しない送風装置により冷却風が流れ、一方の通風孔２０ａからレフレクタ１１内に流入し、他方の通風孔２０ａからレフレクタ１１外へ流出する空気の流れがある。この空気の流れに引かれて、小孔３０から空気がレフレクタ１１内に流入して発光管１を冷却する。
【００３５】
上述の実施の形態によれば、レフレクタ１１の発光管１近傍に冷却風を通す小孔３０を設けたことにより、通風孔２０ａ間の空気の流れに引かれて、小孔３０から空気がレフレクタ１１内に流入して発光管１を冷却することができる。
【００３６】
実施の形態４．
図８、９は実施の形態４を示す図で、図８はレフレクタ付き放電ランプの一部を破断した側面図、図９は通風板の構成を示す図である。
上記実施の形態１では、通風板２０を前面ガラス１４に係合させて固定したが、レフレクタ１１の切り欠き部５に係合させてもよい。
【００３７】
通風板２０は、一枚の板を材料とし、例えば面積が０．５〜８ｍｍ２の大きさの多数の通風孔２０ａを有するとともに、レフレクタ１１の切り欠き部５に係合させるための係合部を有する。通風板２０は、Ｌ字形状の切り起こし片２０ｂを有し、通風板２０と切り起こし片２０ｂとの間にレフレクタ１１の切り欠き部５を挟み込んで係合する。
【００３８】
通風板２０の固定をより確実にするために、接着剤によりレフレクタ１１の切り欠き部５又は前面ガラス１４に部分的に固定してもよい。
【００３９】
上述の実施の形態によれば、実施の形態１と同様に、一枚の板にランプの破片が通過不能な、例えば面積が０．５〜８ｍｍ２の大きさの多数の通風孔２０ａを有し、レフレクタ１１の切り欠き部５に係合する、切り起こし片２０ｂを有する通風板２０により、レフレクタ１１の開口部近傍に設けた通風のための切り欠き部５を覆う構成としたので、万一ランプが破裂した場合に高温の破片が切り欠き部５から散乱するのを防止するとともに、通風板２０は一部品で構成されるので安価であり、略コの字形状の係合部により容易にレフレクタ１１の切り欠き部５に固定することができる。
【００４０】
実施の形態５．
図１０は実施の形態５を示す図で、レフレクタ付き放電ランプの一部を破断した側面図である。
通風板２０は、レフレクタ１１の開口部側外周に取り付けられ、レフレクタ１１の切り欠き部５を覆うように鉢巻き状に一部品で形成されている。
【００４１】
通風板２０は、一枚の板を材料とし、切り欠き部５に対向する部分には、例えば面積が０．５〜８ｍｍ２の大きさの多数の通風孔２０ａを有するとともに、前面ガラス１４に係合させるための係合部を有する。この係合部の構成、通風孔２０ａの形状は、実施の形態１と同様である。
【００４２】
通風板２０が、鉢巻き状の一部品で形成されているので、レフレクタ１１の切り欠き部５が何個あっても一部品で対応できる。また、不要な切り欠き部５を通風孔２０ａを形成せずに覆うこともできる。
【００４３】
実施の形態２のように、通風孔２０ａに角度を付けてもよい。発光管１の冷却をより効率よく行うことができる。
【００４４】
実施の形態３のように、レフレクタ１１の発光管１近傍に冷却風を通す小孔３０を設けてもよい。
【００４５】
また、通風板２０を網目部材で構成してもよい。この場合、通風板２０は枠を有し、枠を用いて前面ガラス１４に係合させる。
【００４６】
【発明の効果】
この発明に係るレフレクタ付き放電ランプは、レフレクタの開口部近傍に設けられ、レフレクタ内に冷却風を通風するための切り欠き部と、切り欠き部を覆うように設けられ、一枚の板を材料とし、発光管の破片が通過不能な通風孔と、前面ガラス又はレフレクタに係合する係合部とを有する通風板と、を備えた構成にしたので、万一ランプが破裂した場合に高温の破片が切り欠き部から散乱するのを防止するとともに、通風板は一部品で構成されるので安価であり、係合部により容易に前面ガラス又はレフレクタに固定することができる。
【図面の簡単な説明】
【図１】実施の形態１を示す図で、レフレクタ付き放電ランプの一部を破断した側面図である。
【図２】実施の形態１を示す図で、同正面図である。
【図３】実施の形態１を示す図で、通風板を取り付ける前のレフレクタ付き放電ランプの一部を破断した側面図である。
【図４】実施の形態１を示す図で、通風板の構成を示す図である。
【図５】実施の形態２を示す図で、通風板の断面図である。
【図６】実施の形態２を示す図で、通風板の断面図である。
【図７】実施の形態３を示す図で、レフレクタ付き放電ランプの一部を破断した側面図である。
【図８】実施の形態４を示す図で、レフレクタ付き放電ランプの一部を破断した側面図である。
【図９】実施の形態４を示す図で、通風板の構成を示す図である。
【図１０】実施の形態５を示す図で、レフレクタ付き放電ランプの一部を破断した側面図である。
【図１１】従来の光照射ユニットの断面図である。
【図１２】従来の光照射ユニットの正面図である。
【符号の説明】
１  発光管、５  切り欠き部、１１  レフレクタ、１４  前面ガラス、２０  通風板、２０ａ  通風孔、２０ｂ  切り起こし片、２０ｃ  折り曲げ部、３０  小孔。
【図１】
2004361523.tif 000003
【図２】
2004361523.tif 000004
【図３】
2004361523.tif 000005
【図４】
2004361523.tif 000006
【図５】
2004361523.tif 000007
【図６】
2004361523.tif 000008
【図７】
2004361523.tif 000009
【図８】
2004361523.tif 000010
【図９】
2004361523.tif 000011
【図１０】
2004361523.tif 000012
【図１１】
2004361523.tif 000013
【図１２】
2004361523.tif 000014